(57)【要約】【課題】光学ファインダと電子ビューファインダの切換えを行った場合に撮影者が眼のピントを変えなくとも両方式の被写体像を視認でき、撮影者の眼にかかる負担を軽減することができるカメラのファインダ装置を提供する。【解決手段】カメラのファインダ装置は、被写体像を撮像する撮像手段と、撮像画像を表示する表示装置１２４、１２５と、撮影レンズによって結像された一次結像被写体像を観察するための接眼レンズ１２１を含む光学ファインダを有する。表示装置は、接眼レンズの光軸上に配置されることで電子ビューファインダを構成する。光学ファインダと電子ビューファインダの切換えに応じて接眼レンズの焦点距離を変更する為に接眼レンズ焦点変更手段１３２が設けられている。【選択図】図１
2013213954.tif 000002
【特許請求の範囲】
【請求項１】
撮影レンズによって結像された被写体像を撮像する撮像手段と、
前記撮像手段にて得られた撮像画像を表示する表示装置と、
撮影レンズによって結像された一次結像被写体像を観察するための接眼レンズを含む光学ファインダと、
を有するカメラのファインダ装置であって、
前記表示装置は、前記光学ファインダを構成する接眼レンズの光軸上に配置されることで電子ビューファインダを構成し、
前記光学ファインダと前記電子ビューファインダの切換えに応じて前記接眼レンズの焦点距離を変更する接眼レンズ焦点変更手段を備えることを特徴とするファインダ装置。
【請求項２】
前記接眼レンズ焦点変更手段は、前記表示装置の表示、非表示に応じて、焦点距離変更以前の視度を維持するように前記接眼レンズの焦点距離を変更することを特徴とする請求項１に記載のカメラのファインダ装置。
【請求項３】
前記接眼レンズ焦点変更手段は、複数のレンズからなる接眼レンズの少なくとも１枚のレンズを移動して前記接眼レンズの焦点距離を変更することを特徴とする請求項１または２に記載のファインダ装置。
【請求項４】
前記接眼レンズ焦点変更手段は、前記光学ファインダの光路に対して焦点補正レンズを挿入して前記接眼レンズの焦点距離を変更することを特徴とする請求項１または２に記載のファインダ装置。
【請求項５】
前記表示装置は、前記光学ファインダを構成するペンタプリズムの半透過反射面の前面かつ前記接眼レンズの光軸に対して鉛直な面に配置されていることを特徴とする請求項１から４の何れか１項に記載のファインダ装置。
【請求項６】
前記表示装置は、前記光学ファインダを構成するペンタミラーの空間内にあって前記接眼レンズの光軸に対して鉛直な面に配置されていることを特徴とする請求項１から４の何れか１項に記載のファインダ装置。
【発明の詳細な説明】
【技術分野】
【０００１】
本発明は、カメラのファインダ装置に関するものであり、特に光学ファインダと電子ビューファインダ（ＥＶＦ）を有する一眼レフカメラなどに関するものである。
【背景技術】
【０００２】
近年、一眼レフタイプのカメラにおいても、撮像素子の連続的な撮影画像を外部表示部（ディスプレイ）に表示する、いわゆるライブビュー表示による静止画撮影、さらには動画撮影が可能となっている。その際、一眼レフカメラの光学ファインダに被写体光を導く主ミラーが撮影光路外に退避してしまうために、カメラの撮影者は光学ファインダ像を視認できなくなり、代わりにカメラ背面に配置された外部表示部で被写界像を見ることになるのが一般的である。しかしながら、光学ファインダと外部表示部とでカメラを覗く姿勢が変わるのは煩わしい上、外部表示部を見ながらの一眼レフカメラの撮影は、腕の脇をしめることが難しく、手振れを起し易い不安定な姿勢になり易い。とりわけ、三脚を使用しない手持ちでの望遠レンズ撮影は、非実用的なものであった。 
【０００３】
この問題に対し、従来、光学ファインダと電子ビューファインダとの切り替えを可能とするカメラの提案がなされている。光学ファインダと電子ビューファインダとの切り替えが可能となれば、通常の光学ファインダを用いた静止画撮影に対して、電子ビューファインダを使用するライブビュー表示撮影、動画撮影においてもカメラのファインダを覗く撮影者の姿勢は変化しない。そのため、カメラを理想的な構えで保持し、撮影を行うことが可能となる。
【０００４】
上記技術に関して、次の提案がある。一つの提案では、主ミラーが撮影光路外に退避して、光学ファインダ光路を遮るとともに、光路変換器であるペンタ部材の一部の反射鏡の位置が変化し、代わりに表示部材（ディスプレイ）がペンタ部材の外部から挿入される。こうして、光学ファインダから電子ビューファンダに切り替わる（特許文献１参照）。また他の提案では、ペンタ部材の反射ミラーを半透過とし、該半透過ミラーの背面側のファインダ接眼レンズ光軸上に表示部材を配置することで、光学ファインダと電子ビューファインダの切換えを可能としている（特許文献２参照）。
【先行技術文献】
【特許文献】
【０００５】
【特許文献１】特開平０５−１０７５９５号公報
【特許文献２】特開２０００−２９２８３１号公報
【発明の概要】
【発明が解決しようとする課題】
【０００６】
一般的に、カメラの光学ファインダを構成する接眼レンズは、撮影レンズによって結像される撮影被写体像の一次結像面であるピント板に対して眼のピントが合うように（通常は１ｍ先の物体を見るように）設計されている。しかし、前記特許文献１、２の提案を初め多くの提案は、一次結像面ではなく、その位置よりもはるかに接眼レンズ寄りに表示部材（ディスプレイ）を配置したものになっている。そのため、撮影者が光学ファインダで被写体を観察している状態から、電子ビューファインダに切り替った場合、眼のピント（焦点）を合わせる対象物は次の様になる。すなわち、１ｍ先に存在する対象物を見るのと等価な状態の位置で見えているピント板上の被写体像から、例えば急に数十ｍｍ先に存在する表示部材に変わってしまうことになる。これでは、撮影者の眼にとって負担となるばかりか、多くの人にとっては表示部材に対し眼のピントが合わないということがある。
【０００７】
そこで、本発明の目的は、光学ファインダと電子ビューファインダとのファインダ方式の切換えを行う場合に、ファインダを覗く撮影者が眼のピントを変えなくとも両方式における被写体像を容易に視認できるカメラのファインダ装置を提供することである。これにより、撮影者の眼にかかる負担が大幅に軽減されるとともに、多くの人が常に明瞭なファインダ被写体像を見ることが可能となる。
【課題を解決するための手段】
【０００８】
上記目的を達成するために、本発明のカメラのファインダ装置は、撮影レンズによって結像された被写体像を撮像する撮像手段と、撮像手段にて得られた撮像画像を表示する表示装置と、撮影レンズによって結像された一次結像被写体像を観察するための接眼レンズを含む光学ファインダを有する。表示装置は、光学ファインダを構成する接眼レンズの光軸上に配置されることで電子ビューファインダを構成する。さらに、光学ファインダと電子ビューファインダの切換えに応じて接眼レンズの焦点距離を変更する接眼レンズ焦点変更手段を備える。
【発明の効果】
【０００９】
本発明によれば、上記接眼レンズ焦点変更手段を備えるので、カメラの光学ファインダと電子ビューファインダの切換えを行った場合に、ファインダを覗く撮影者は、眼のピントを変えなくとも両ファインダ方式における被写体像を容易に視認することができる。そのため、撮影者の眼にかかる負担を大幅に軽減できるとともに、多くの人が常に明瞭なファインダ被写体像を見ることが可能となる。
【図面の簡単な説明】
【００１０】
【図１】カメラのファインダ構成の説明図。
【図２】カメラの概略構成図。
【図３】カメラの電気ブロック図。
【図４】カメラの撮影シーケンスの概略を示すフローチャート。
【図５】カメラの操作部材の説明図。
【図６】カメラの他のファインダ構成の説明図。
【図７】カメラの他のファインダ構成の説明図。
【図８】カメラの他のファインダ構成の説明図。
【発明を実施するための形態】
【００１１】
本発明の特徴は、電子ビューファインダの表示装置に対して光学ファインダと同じ視度で眼のピントを合わせられるように、光学ファインダと電子ビューファインダの切換えに応じて接眼レンズの焦点距離を変更する接眼レンズ焦点変更手段を備えることである。この考え方に基づき、本発明のカメラのファインダ装置は、上記課題を解決するための手段のところで述べた様な基本的な構成を有する。
【００１２】
以下に、本発明の好ましい実施の形態を、添付の図面に基づいて詳細に説明する。
（実施例１）
本発明のファインダ装置の実施例１を図１から図５に沿って詳細に説明する。なお、図１から図５において、同一の要素部品には同じ番号が付してある。
【００１３】
図２は、本実施例のファインダ装置を適用したデジタルカメラの概略構成を示す図である。同図において、１０１はＣＰＵ（中央演算処理装置）であり、本カメラの動作はこのＣＰＵ１０１により制御される。１０５は撮影レンズであり、撮影被写体光を撮像素子（撮像手段）であるＣＣＤ１０６上に結像させ、撮像画像が得られる。同図に書かれた撮影レンズ１０５は、便宜的に１枚のレンズ１０５ａで表現しているが、実際には複数のレンズから成っている。１２８は、撮影レンズ１０５のＣＣＤ１０６結像面と等価な結像面（一次結像面）に置かれた焦点検出板（本明細書では、ピント板とも称する）である。被写体像は主ミラー１２６で反射され、ピント板１２８上に一次結像し、一次結像被写体像が形成される。ファインダ装置は、撮影者がこの被写体像をペンタプリズム１２７、さらには接眼レンズ１２１を通じて見ることができる所謂ＴＴＬ方式の光学ファインダ構成となっている。一方、主ミラー１２６は半透過ミラーとなっており、該主ミラー１２６を透過した一部の光束はサブミラー１２２を通じて焦点検出手段である焦点検出ユニット１１９に導かれ、周知の位相差検出方式の焦点検出動作が行われる。焦点検出手段は、撮影画面の複数の領域（焦点検出領域）について焦点検出が可能となっている。
【００１４】
１３０は複数のセンサチップからなる測光センサであり、測光レンズ１２９によって、ピント板１２８に結像した被写体像を複数の領域に分けて該複数領域の各々の輝度を検出することができる。１１２は、ピント板１２８の近傍に配置された表示用のプリズムパネルであり、前記焦点検出領域に対応した該プリズムパネル１１２の表面位置に反射プリズムが形成されている。ペンタプリズム１２７の上方開口部からＬＥＤ１２３からの光を投光し、前記反射プリズムの反射光を撮影者の眼に導くことで、ファインダ視野の中の何れの焦点検出領域で合焦がなされたかの焦点検出動作の状態表示が行われる。
【００１５】
ここで撮影者がレリーズＳＷ１１４（図３参照）を押すと、主ミラー１２６は撮影レンズ１０５の光路外に退避する。一方、撮影レンズ１０５によって集光された被写体光はフォーカルプレーンシャッタ１３３にてその光量制御がなされる。そして、ＣＣＤ（撮像素子）１０６によって被写体像として光電変換処理された後、撮影済み画像として記録メディアに記録されるとともに、ＴＦＴ方式の外部表示部１１３に撮影画像の表示がなされる。これが通常の静止画撮影であるが、本カメラはそれ以外にライブビュー撮影、動画撮影も可能となっている。
【００１６】
ライブビュー撮影時あるいは動画撮影時は、ＣＣＤ１０６にて連続的に撮像された被写体画像は、ペンタプリズム１２７の一平面の半透過反射面１２７ｅの前面かつ後述の接眼レンズ１２１の光軸上に配置された小型ＴＦＴ方式の内部表示部１２４に表示される。以上の構成により、本カメラの撮影者は、通常の静止画撮影時には光学ファインダにて被写体を観察する。他方、ライブビュー撮影あるいは動画撮影時においても、光学ファインダを覗いていた同じ姿勢のまま、内部表示部１２４による表示、いわゆる電子ビューファインダを用いた被写体観察が可能となっている。
【００１７】
ＣＣＤ１０６にて連続的に撮像されている画像を内部表示部１２４に表示するか、外部表示部１１３に表示をするかは、カメラが自動的に選択を行うものである。撮影者がカメラのファインダを覗いているか否かを検知するセンサ（不図示）が接眼レンズ１２１近傍に設けられている。そして、その出力に応じて、撮影者がカメラのファインダを覗いていれば撮影画像は内部表示部１２４に表示され、撮影者がカメラのファインダを覗いていない場合には、外部表示部１１３に画像表示がなされるようになっている。ここでライブビュー撮影とは、次の撮影を意味する。主ミラー１２６を撮影光路から退避させ、シャッタ１３３を開放状態で、例えば３０コマ／分の間隔でＣＣＤ１０６が連続的に撮像を行い、その画像をカメラ背面部の外部表示部１１３或いは電子ビューファインダの内部表示部１２４にて連続して画像表示を行う。この状態において、任意のタイミングで静止画撮影を行う。さらには、該ライブビュー撮影状態から任意のタイミングで、動画フォーマットへの変換、記録を行う動画撮影を行うこともできる。これらの動作の詳細については後述する。
【００１８】
ここでさらに図１を用いて、本発明の特徴部である本実施例のファインダ部について詳細説明を行う。図１において、電子ビューファインダを構成する内部表示部１２４は、光学ファインダを構成するペンタプリズム１２７の半透過反射面１２７ｅの前面、かつ光学ファインダの一部である接眼レンズ１２１の光軸に対する鉛直面に配置されている。半透過反射面１２７ｅは、ピント板１２８から接眼レンズ１２１に入射する光束の８０％の光量を反射することで光学ファインダの被写体像の明るさが顕著に低下するのを防ぐとともに、内部表示部１２４からの光束の２０％を透過する役目を持つ。ここで、１２５は内部表示部１２４のバックライト部であり、三角プリズム１３４は、内部表示部１２４について眼に対する上下方向の光路長を合わせるため（上下方向の視度差解消のため）のものである。
【００１９】
一般的に、一眼レフカメラのファインダ用接眼レンズは、カメラの撮影者が接眼レンズを覗いた時に、撮影レンズの一次結像面であるピント板上の被写体像が、１メートル先に見えるように設計されている。これが−１ｄｐｔ（ディオプタ）という値である。しかしながら、人の眼のピントが合う距離範囲が人によって様々なため、接眼レンズはその焦点距離を可変できるような機構にて構成されている。接眼レンズ１２１は、実際には、固定レンズ１２１ａ、１２１ｃと移動レンズ１２１ｂからなり、移動レンズ１２１ｂの位置が変化すると３枚接眼レンズの合成焦点距離が変化する仕組みになっている。カメラの撮影者は、光学ファインダ使用時にピント板に結像した被写体像、あるいは、ピント板１２８上の測光範囲マーク（不図示）等のけがき線を見て、最も眼のピントが合うような位置に移動レンズ１２１ｂを動かして固定させる。この動きは、図１における移動レンズ１２１ｂの位置ｓに対する変位量±eで示している。実際の調整動作としては、カメラの操作部材である不図示のボタンにて移動レンズを変位させるための視度調整モータ１３２を駆動させる。そして、視度調整モータ１３２のシャフトに設けられたスクリューネジ部に沿って移動レンズ１２１ｂの台座が移動することで、移動レンズ１２１ｂが移動し、その位置を決定する。接眼レンズ１２１の焦点距離変化による視度の変化量、いわゆる視度調整範囲は、−１ｄｐｔを中心として±２ｄｐｔの幅で可能となっている。これがいわゆる視度調整機構であり、多くの人は適正な調整を一度行えば、実用的には再度視度の調整を行う必要はない。
【００２０】
一般的に、レンズの焦点位置から像までの距離の間にはニュートンの結像公式が成り立つ。レンズの焦点位置を起点にしてレンズに近づく方向に物を置けば光線は実像を結ばず虚像となり、前述のとおりファインダはこの状態で１ｍ先に虚像を結んだ状態を視度−１ｄｐｔであると定義している。これから、ファインダの視度は
ｄ＝−１０００/（ｆ2/ｘ−ｆ）‥・（１）
にて求めることができる。xは接眼レンズの物体側焦点位置から物体（この場合ピント板の一次結像面）までの距離、ｆは接眼レンズの焦点距離である。
【００２１】
ここで接眼レンズ１２１の（合成）焦点距離（ｆ）を７０ｍｍとすると、（１）式よりピント板１２８のピント面から撮影レンズ方向４．６ｍｍの位置（ｘ）に、上記接眼レンズ１２１の焦点位置が一致するように接眼レンズ１２１を配置すれば視度−１ｄｐｔを得ることがわかる。一方、主ミラー１２６が撮影光路外に退避し、光学ファインダが視認不能となり、電子ビューファインダの表示部である内部表示部１２４にＣＣＤ１０６で撮像された被写体像の表示がなされた場合、それまで光学ファインダで観察していたピント板１２８から、眼の近くに配置された内部表示部１２４に観察対象が移ることになる。このファインダ光学系において、例えば内部表示部１２４がピント板１２８ピント面から接眼レンズ１２１寄り４０ｍｍの位置に配置されているとする。すると、接眼レンズの物体側焦点位置から物体（内部表示部１２４の表示面）までの距離：ｘは４４．６ｍｍとなり、上記（１）式の計算から視度−２５ｄｐｔが算出される。これは、撮影者の眼からわずか４０ｍｍの位置にある物体（表示面）を観察するのと同じことを意味する。従って、大多数の人にとっては眼のピントが合わないため、電子ビューファインダ表示の観察は困難となってしまう。
【００２２】
そこで、本発明の特徴部であるところの接眼レンズ焦点変更手段は、撮影者がカメラを光学ファインダ状態で使用していて、電子ビューファインダに切替えた場合、次の様にする。接眼レンズ１２１の移動レンズ１２１ｂを図１の位置ｓから撮影者の眼方向の位置ｔに距離δだけ移動させ、接眼レンズ１２１の合成焦点距離を変化させる。この機能によって、撮影者は電子ビューファインダの内部表示部１２４の表示表面に対して、光学ファインダと同じ視度で眼のピントを合わせることが可能となる。
【００２３】
上記（１）式によれば、電子ビューファインダ使用時には、次の様に移動レンズ１２１ｂを変位させる。すなわち、内部表示部１２４の表示面から撮影レンズ１０５の方向に約１ｍｍずらした位置（接眼レンズ１２１の主点位置から３１ｍｍ前方の位置）に、接眼レンズ１２１の合成焦点距離（ｆ）が３０ｍｍとなる焦点位置が一致するように変位させる。すると、−１ｄｐｔ視度が実現できる。移動レンズ１２１ｂの駆動に関しては、前記視度調整機構の説明のように視度調整モータ１３２によって行われる。光学ファインダから電子ビューファインダへの切換え信号をＣＰＵ１０１が検知すると、不図示の位置センサによって移動レンズ１２１ｂの位置が検出される。そして、移動レンズ１２１ｂの移動すべき量、さらには移動に必要な視度調整モータ１３２の駆動量（パルス数）がＣＰＵ１０１にて予めプログラムされた式に基づいて計算され、視度調整モータ１３２が移動レンズ１２１ｂを移動させる。こうすることで−１ｄｐｔ視度が実現される。
【００２４】
また、光学ファインダで例えば−３ｄｐｔに設定された接眼レンズ１２１の視度は、電子ビューファインダに切替っても−３ｄｐｔを維持することができる。−３ｄｐｔとなる光学ファインダを実現するには、前記（１）式から、ピント板結像面から撮影レンズ寄り１０．４ｍｍの位置に、接眼レンズ１２１の焦点距離（ｆ）が６３．８ｍｍとなる焦点位置が一致するよう移動レンズ１２１ｂの位置を動かせばよい。一方、電子ビューファインダの場合は、内部表示部１２４の表示面から撮影レンズ寄り２．３ｍｍの位置に、接眼レンズ１２１の焦点距離（ｆ）が２８．６ｍｍとなる焦点位置が一致するよう移動レンズ１２１ｂの位置を動かせば視度−３ｄｐｔが得られる。実際の移動レンズ１２１ｂの移動量に関してはレンズ曲率との設計事項になるため、ここでは省略する。
【００２５】
また、逆に電子ビューファインダの状態から、光学ファインダに切替る場合においても、ファインダ方式切換えの度にＣＰＵ１０１が移動レンズ１２１ｂの位置検出、移動量計算を行い、視度調整モータ１３２が駆動するようになっている。つまりカメラの撮影者が電子ビューファインダ時に視度調整を再度行い、その後光学ファインダに切替ったとしても、ファインダ視度の状態は維持されることになる。この様にして、接眼レンズ焦点変更手段は、表示装置の表示、非表示に応じて、焦点距離変更以前の視度を維持するように接眼レンズの焦点距離を変更する。
【００２６】
図３は、本実施例によるデジタルカメラの概略構成を示す電気ブロック図である。同図において、１０１は前述のＣＰＵ（中央演算処理装置）であり、その内部には不揮発性メモリであるＥＥＰＲＯＭ１０１ａが構成されている。またＣＰＵ１０１には、制御プログラムを記憶しているＲＯＭ（リードオンリーメモリ）１０２、ＲＡＭ（ランダムアクセスメモリ）１０３、データ格納手段１０４、画像処理部１０８、表示制御部１１１、レリーズＳＷ１１４、電源を供給するためのＤＣ／ＤＣコンバータ１１７がそれぞれ接続され、画像処理部１０８にはＣＣＤ制御部１０７、さらにＣＣＤ１０６が接続されている。ＣＣＤ１０６は、例えば有効画素数約１０００万画素（３８８８×２５９２画素）を有している。
【００２７】
カメラ外装背面部、ファインダ内にそれぞれ設けられた外部表示部１１３、内部表示部１２４は、ＣＣＤ１０６にて撮像された画像を縦横各々間引き処理された画像を表示することのできるＴＦＴカラー液晶である。表示制御部１１１は、ＣＣＤ１０６にて撮像された静止画像、動画像の外部表示部１１３、内部表示部１２４への表示の駆動を行っている。さらには前記焦点検出状態表示用のＬＥＤ１２３も制御している。モータ制御部１２５は、ＣＰＵ１０１の指示を受けて、ミラー駆動を始め、カメラ内部の複数のモータを制御しており、前記接眼レンズ１２１ｂを移動させる視度調整モータ１３２もここで制御される。また、ＤＣ／ＤＣコンバータ１１７には電池１１６から電源が供給されている。
【００２８】
ＣＰＵ１０１はＲＯＭ１０２内の制御プログラムに基づいて各種制御を行う。これらの制御の中には、画像処理部１０８から出力された撮影画像信号を読み込み、ＲＡＭ１０３へ転送を行う処理、同様にＲＡＭ１０３よりＬＣＤ制御部１１１へデータを転送する処理、また、画像データをＪＰＥＧ圧縮しファイル形式でデータ格納手段１０４へ格納する処理がある。動画データの場合も同様な処理を経て、ＭＯＶ形式のファイルに圧縮され、データ格納手段１０４へ格納される。さらにＣＰＵ１０１は、ＣＣＤ１０６、ＣＣＤ制御部１０７、画像処理部１０８、ＬＣＤ制御部１１１などに対してデータ取り込み画素数やデジタル画像処理の変更指示を行う。１１９は前記焦点検出用の一対のラインＣＣＤセンサを含んだ焦点検出制御部であり、ラインセンサから得た電圧をＡ／Ｄ変換し、ＣＰＵに送る。またＣＰＵ１０１の指示の基に、焦点検出制御部１１９はラインセンサの蓄積時間とＡＧＣ（オートゲインコントロール）の制御も行う。また、レリーズＳＷ１１４の操作に伴う撮影動作の指示、各素子への電源の供給をコントロールするための制御信号をＤＣ／ＤＣコンバータ１１７に対して出力する処理もＣＰＵ１０１の制御の基に行われる。さらには光学ファインダと電子ビューファインダの切換えの際に、前記移動レンズである接眼レンズ１２１ｂの位置からその移動量を計算する等の様々な処理もＣＰＵ１０１の制御の基に行われている。
【００２９】
ＲＡＭ１０３は画像展開エリア１０３ａ、ワークエリア１０３ｂ、ＶＲＡＭ１０３ｃ、一時退避エリア１０３ｄを備えている。画像展開エリア１０３ａは、画像処理部１０８より送られてきた撮影画像（ＹＵＶデジタル信号）やデータ格納手段１０４から読み出されたＪＰＥＧ圧縮画像データを一時的に格納するためのテンポラリバッファとして、または画像圧縮処理、解凍処理のための画像専用ワークエリアとして使用される。ワークエリア１０３ｂは各種プログラムのためのワークエリアである。ＶＲＡＭ１０３ｃは表示部１１３へ表示する表示データを格納するＶＲＡＭとして使用される。また一時退避エリア１０３ｄは各種データを一時退避させるためのエリアである。
【００３０】
データ格納手段１０４は、ＣＰＵ１０１によりＪＰＥＧ圧縮された撮影画像データ、あるいはＭＯＶ形式動画像データをファイル形式で格納しておくためのフラッシュメモリである。ＣＣＤ１０６は撮影レンズ１０５によって投影された撮影画像をアナログ電気信号に変換するための撮像素子である。このＣＣＤ１０６は、ＣＰＵ１０１からの解像度変換指示に従って、水平方向及び垂直方向の間引き画素データの出力が可能である。ＣＣＤ制御部１０７は、ＣＣＤ１０６に転送クロック信号やシャッタ信号を供給するためのタイミングジェネレータ、ＣＣＤ出力信号のノイズ除去、ゲイン処理を行うための回路を含んでいる。さらには、アナログ信号を１０ビットデジタル信号に変換するためのＡ／Ｄ変換回路、また同様に、ＣＰＵ１０１よりの解像度変換指示に従って、画素間引き処理を行うための回路等を含んでいる。また画像処理部１０８は、ＣＣＤ制御部１０７より出力された１０ビットデジタル信号をガンマ変換、色空間変換、また、ホワイトバランス、ＡＥ、フラッシュ補正等の画像処理を行い、ＹＵＶ（４：２：２）フォーマットの８ビットデジタル信号出力を行うものである。これら撮影レンズ１０５、ＣＣＤ１０６、ＣＣＤ制御部１０７、画像処理部１０８から撮像手段が構成されている。
【００３１】
表示制御部１１１は、画像処理部１０８から転送されたＹＵＶデジタル画像データ、あるいはデータ格納手段１０４の画像ファイルに対してＪＰＥＧの解凍を行ったＹＵＶデジタル画像データを受け取り、ＲＧＢデジタル信号へ変換した後、外部表示部１１３、あるいは内部表示部１２４へ出力する処理を行う。レリーズＳＷ１１４は、撮影動作の開始を指示するためのものである。このレリーズＳＷ１１４は不図示のカメラ操作部材であるレリーズボタンの押下圧によって２段階のスイッチポジションを有している。１段目のポジション（ＳＷ１ＯＮ）の検出で、ホワイトバランス、測光等のカメラ設定のロック動作が行われ、２段目のポジション（ＳＷ２ＯＮ）の検出で、被写体画像信号の取り込み動作が行われる。
【００３２】
測光制御部１３５は、ＣＰＵ１０１の指示に従って、測光センサ１３０を駆動制御し、被写体輝度信号を取り込み、ＣＰＵ１０１にデータを送る。基本的な測光動作としては、測光センサ１３０の受光面の画素において発生した輝度信号はＣＰＵ１０１にて各々Ａ／Ｄ変換が行われ、各々８ビットのデジタル信号となる。これに撮影レンズの明るさを示すＦｎｏ．（実効Ｆｎｏ．）の値の補正、センサ出力信号のバラツキ補正（レベル・ゲインの調整）、さらにはレンズ１０５から送られてくる情報等から測光補正が行われ、最終的に被写界輝度信号値を得ることができる。これらの情報に基づいてカメラの最適露出演算が行われ、カメラのシャッタスピード、撮影レンズの絞りを最適に制御することで最適な露光を得ることができる。電池１１６はリチャージャブルの２次電池あるいは乾電池である。また、ＤＣ／ＤＣコンバータ１１７は、電池１１６からの電源供給を受け、昇圧、レギュレーションを行うことにより複数の電源を作り出し、ＣＰＵ１０１を初めとする各素子に必要な電圧の電源を供給している。このＤＣ／ＤＣコンバータ１１７は、ＣＰＵ１０１からの制御信号により、各々の電圧供給の開始、停止を制御できるようになっている。
【００３３】
次に、ライブビュー撮影モードにおけるカメラの撮影動作について、図４のフローチャート及び図５を用いて説明を行う。図４のフローチャートのステップＳ２００にてカメラの電源がＯＮされると、ステップ２０１にてＣＰＵ１０１はカメラのスイッチ操作部材がライブビュー撮影モードに設定されているか否かの検出を行う。ここで図５にてライブビュー撮影モードと動画撮影の設定の操作を説明する。図５はカメラの外装部に配置されたライブビュースイッチ１４０と動画撮影スイッチ１４１を示している。ライブビュースイッチ１４０は回転式のスイッチである。スイッチの突起部が撮影モードのアイコン１４２の位置にある時は通常の静止画撮影モードが設定され、アイコン１４３の位置に突起部がある時はライブビュー撮影モードにカメラの撮影モードが設定される。またライブビュー撮影モード時にスタート・ストップボタン１４１を押すと、動画撮影・記録が開始され、再度の該ボタンの押し直しで動画撮影は停止するようになっている。
【００３４】
ここで再び、図４のフローチャートに戻ると、ステップ２０１にてカメラがライブビュー撮影モードに設定されていなければ、ステップＳ２２０にて光学ファインダを使用した通常の静止画撮影モードでの動作を行う。この動作は、レリーズＳＷ１１４のＯＮから始まり、静止画撮影、記録という一眼レフスチルカメラとして一般的なシーケンスとなっており、本発明と直接の関係はないので省略する。一方、ライブビュー撮影モードに設定されていると、ＣＰＵ１０１は主ミラー１２６を撮影レンズ光路外へ退避させ（ミラーアップ）、フォーカルプレーンシャッタ１３３を開放状態に保つという一連のメカシーケンスが実行される。またステップＳ２０２と同時に、ステップＳ２０３として、接眼レンズ１２１の焦点距離の変更を行うために、接眼レンズの移動レンズ１２１ｂが所定量移動される。これは、前述したように、光学ファインダの視度とライブビュー撮影モード時の電子ビューファインダの視度を一致させるためである。具体的には、光学ファインダ時の視度、つまり移動レンズ１２１ｂの現在位置を検出し、その値からＣＰＵ１０１が視度を算出する。そして、電子ビューファインダ使用時の視度が一致するように、移動レンズ１２１ｂを移動するための視度調整モータ１３２の駆動量を算出する。ステップＳ２０４では、視度調整モータ１３２が前記算出した駆動量に基づき、移動レンズ１２１ｂを移動させる。
【００３５】
移動レンズ１２１ｂの移動が完了すると、ＣＣＤ１０６は、撮影レンズによってＣＣＤ１０６チップ上に結像した被写体像の光電変換処理を開始する（ステップＳ２０５）。そして、ステップＳ２０６で電気的処理が行われた被写体像信号を電子ビューファインダの内部表示部１２４に表示する。ステップＳ２０７にて、レリーズＳＷ１１４の２段目のポジション（ＳＷ２ＯＮ）の検出がなされると、ステップＳ２０８にて通常の静止画撮影動作を行い、ステップＳ２０９にて静止画撮影は終了する。
【００３６】
一方、ステップＳ２０７にてＳＷ２ＯＮの検出が行われなければ、ステップＳ２１０にて動画撮影スイッチ１４１がＯＮしているかの検出を行い、ＯＮしていればステップＳ２１１にて録画を開始し、ＯＦＦ状態であれば、再度ステップＳ２０７のＳＷ２ＯＮの検出に戻る。ステップＳ２１２にて、動画撮影スイッチ１４１のＯＦＦを検知するとステップＳ２１３にて動画撮影を終了する。動画撮影スイッチ１４１のＯＦＦが検知されなければ、動画撮影は継続される。ステップＳ２０９ならびにステップＳ２１３にて静止画、動画の撮影が終了すると、ステップＳ２１４でライブビュー撮影モードに設定されているか否かの検出が行われる。依然としてライブビュー撮影モードの状態であれば、ステップＳ２０７に戻ってＳＷ２ＯＮの検出判定を行う。
【００３７】
一方、ライブビュー撮影モードではなく、静止画撮影モードに変更されたことを検出した場合は、ステップＳ２１５にて、ＣＰＵ１０１はＣＣＤ１０６のライブビュー撮像動作を停止させる。それとともに、ステップＳ２１６で電子ビューファインダの内部表示部１２４の表示も停止させる。続いてＣＰＵ１０１は、ステップＳ２１７にて主ミラー１２６を撮影レンズ光路上に戻し（ミラーダウン）、フォーカルプレーンシャッタ１３３を閉鎖状態に保つという一連のメカシーケンスを実行する。また同時に、ステップＳ２１８にて、光学ファインダの視度に再度戻すために、現在の移動レンズ１２１ｂの位置を検出することでＣＰＵ１０１が視度を算出し、光学ファインダ時に位置すべき移動レンズ１２１ｂの移動量を算出する。ステップＳ２１９では、視度調整モータ１３２が前記算出量に基づき移動レンズ１２１ｂを移動させる。つまりライブビュー撮影モードはここで完全に停止することになり、ステップＳ２２０の静止画撮影モードシーケンスに移行する。
【００３８】
（実施例２）
次に図６を用いて本発明の実施例２の説明を行う。図６において、接眼レンズ１２１の部分の構成を除き、内部表示部１２４をはじめ、ファインダを構成する要素は図１で示した実施例１と全く同じである。唯一異なる接眼レンズ１２１の部分の構成は、固定レンズ１２１ａ、１２１ｃ、移動レンズ１２１ｂと、さらに接眼レンズの光軸に対し挿入・退避がなされる焦点補正レンズ１２１ｄからなる。焦点補正レンズ１２１ｄは正のパワーを有し、接眼レンズ１２１の光軸に挿入されることで接眼レンズ１２１の合成焦点距離が短くなり、電子ビューファインダ時の内部表示部１２４に眼のピントを合わせる役目を果たす。つまり、焦点補正レンズ１２１ｄは、光学ファインダから電子ビューファインダに切替る際、接眼レンズ１２１光軸に挿入され（ｉ位置）、逆に電子ビューファインダから光学ファインダに切替る際、接眼レンズ１２１の光軸から退避（ｈ位置）させられる。このことで、光学ファインダ時でも電子ビューファインダ時でもカメラの撮影者はピントの合った被写体像を見ることが可能となる。この挿入・退避の動作は、不図示のバネとプランジャーで一瞬のうちに行われる。もちろんこの動作は、モータを使った回転式或いはスライド式の挿入・退避を行うようにしてもよい。
【００３９】
ここで単に焦点補正レンズ１２１ｄの挿入・退避だけであると、次の様なことになる。光学ファインダ時、電子ビューファインダ時というようにファインダ方式切換えを行っても、各々の場合で視度−１ｄｐｔにすることは、焦点補正レンズ１２１ｄの最適設計によって可能である。しかしながら、撮影者が自分の眼に合わせて任意に視度を設定してしまうと、ファインダ方式を変更した際、正確に同じ視度を維持することはできないことがある。そこで実施例１と同様に、視度補正を行うための移動レンズ１２１ｂについて、ＣＰＵ１０１がその位置を読み取り、必要な駆動量を計算して駆動することで両ファインダ方式における視度が同じになるように補正を行っている。本実施例の場合、実施例１のように接眼レンズ１２１の焦点距離変更を全て移動レンズ１２１ｂの移動で行うのに比べ、移動レンズ１２１ｂの移動量±eは僅かで済み、接眼レンズ１２１の全体の大きさとしては実施例１の構成よりも小さくて済む可能性を持っている。
【００４０】
以上述べてきた実施例１、２の説明では、内部表示部（表示装置）１２４の配置が図１及び図６に示すようになっていた。すなわち、光学ファインダを構成するペンタプリズム１２７の半透過反射面１２７ｅの前面、かつ光学ファインダの一部である接眼レンズ１２１の光軸鉛直面に、電子ビューファインダを構成する内部表示部１２４が配置されていた。しかしながら、内部表示部１２４の配置は前記配置に限定されるものではない。
【００４１】
（実施例３）
図７は、ドットマトリックスパネルからなる透明有機ＥＬ１３６である内部表示部をピント板１２８の上方に配置したファインダ構成を示したものである。本構成の透明有機ＥＬ１３６は、非駆動時は透明であり、光学ファインダ使用時には、光学被写体像と重ね合わせて前記焦点検出動作の状態表示等をドットの部分的なシンボルとして発光表示する。また、主ミラー１２６が撮影レンズ１０５の撮影光路外に退避し光学ファインダ光路を遮断した状態のライブビュー撮影、あるいは動画撮影モードに入った場合は、次の様に機能する。すなわち、透明有機ＥＬ１３６は、ドットマトリックス表示のディスプレイとして被写体動画像の表示を行う電子ビューファインダとして機能する。
【００４２】
このようなファインダ系においても、ピント板１２８に対し、透明有機ＥＬ１３６の表示部の視度を一致させることは、透明有機ＥＬ１３６の基材のガラスの厚みのために不可能である。さらに、メカニカルな保持の仕方にもより、実際には１ｍｍ以上表示位置がずれることになる。ピント板１２８から上方に（光路上、接眼レンズ方向に）、透明有機ＥＬ１３６の表示発光面が２ｍｍ離れるとすると、前記同様（１）式の計算から視度はピント板焦点面の基準値−１．０ｄｐｔに対し、表示発光面の視度は−１．５ｄｐｔとなり、０．５ｄｐｔの差が出ることになる。この程度の視度差は、光学ファインダ時の補助的な表示となる透明有機ＥＬ１３６のシンボル表示（撮影モード、ＩＳＯ表示等）であれば、光学被写体像と同時に視認することになっても実用的には問題ないこともある。しかし、電子ビューファインダのディスプレイとして厳密に撮影レンズ１０５の合焦状態を観察しようとするなら、ファインダ方式切換えに連動して移動レンズ１２１ｂを移動させ、内部表示部の視度を光学ファインダでの視度と一致するよう調整するのが望ましい。
【００４３】
（実施例４）
図８は、小型ＴＦＴ方式の内部表示部１２４をペンタプリズム１２７の上部に配置したファインダ構成である。一般的に一眼レフカメラのペンタプリズム上部は通常ダハ面となっており、この面で反射したファインダ被写界像は左右反転することになるが、ここでは平面の半透過面１２７ａとし、ファインダ像を左右反転するダハ面は、通常平面の反射面である面１２７ｅに設けている。面１２７ａを平面とすることで前記内部表示部１２４はその配置がし易くなる。また、１３７は内部表示部の上下方向の光路長差を補正する三角プリズムである。ここでも、内部表示部１２４のバックライト部１２５が設けられている。該内部表示部を有したファインダ構成の特徴は、実施例１、２の内部表示部がペンタプリズム１２７の面１２７ｅの前面に配置されるのに比べ、内部表示部１２４がペンタプリズムの面１２７ａに配置されることでピント板１２８により近くなる。そのため、ファインダ方式切換えに伴う接眼レンズ１２１の視度変化が少なくて済む。つまり接眼レンズ１２１の移動レンズ１２１ｂの移動量δが少なくて済むため、カメラの小型化に寄与する。
【００４４】
実施例１、実施例２とは異なった配置がなされた内部表示部を有した図７、図８で説明したファインダ構成の例においても、実施例１、２と同様、ファインダ方式が切替った場合、接眼レンズ１２１は、同じ視度に維持される。
【００４５】
以上、本発明の好ましい実施の形態について説明したが、本発明はこれらの実施例に限定されるものではない。例えば、これまでのファインダ構成の説明では、ガラスから成るペンタプリズムを有するものであったが、当然、光路変換手段に反射ミラーを用いたペンタミラーの構成であっても本発明への適用は可能であり、その要旨の範囲内で種々の変形及び変更が可能である。ペンタミラーを用いる場合は、ペンタミラー内のファインダ光路は空気であるため、ペンタミラーの空間内であって、かつ接眼レンズ１２１の光軸鉛直面に、上記表示装置である内部表示部を配置することができる。つまり、内部表示部のレイアウトの自由度が増えるという特徴がある。
【符号の説明】
【００４６】
１０５：撮影レンズ、１０６：ＣＣＤ（撮像手段）、１２１：接眼レンズ（光学ファインダ）、１２１ｂ：移動レンズ、１２１ｄ：焦点補正レンズ（接眼レンズ焦点変更手段）、１２４：内部表示部（ディスプレイ、表示装置）、１２５：バックライト（表示装置）、１２７：ペンタプリズム（光学ファインダ）、１３２：視度調整モータ（接眼レンズ焦点変更手段）
【図１】
2013213954.tif 000003
【図２】
2013213954.tif 000004
【図３】
2013213954.tif 000005
【図４】
2013213954.tif 000006
【図５】
2013213954.tif 000007
【図６】
2013213954.tif 000008
【図７】
2013213954.tif 000009
【図８】
2013213954.tif 000010